(57)【特許請求の範囲】
【請求項１】
筐体内を仕切り板で熱交換室と機械室とに区分けし、熱交換室に熱交換器及び送風機を収容し、機械室に圧縮機及び電装箱を収容した空気調和装置の室外ユニットにおいて、
前記電装箱は、前記仕切り板と略同一の幅で当該仕切り板上に延在し、前記機械室側に電装ユニットを支持する支持板を備え、この支持板を前記仕切り板の上端部に載置した状態で、当該支持板の一端部を前記熱交換器の管板に仮止め可能とするとともに、前記支持板は、この支持板の下端部から前記仕切り板の上端部における前記機械室側に延在する舌片部を備えることを特徴とする空気調和装置の室外ユニット。
【請求項２】
前記支持板は、この支持板の一端部に、前記管板に設けられたねじ部に引掛け可能な孔部を備えることを特徴とする請求項１に記載の空気調和装置の室外ユニット。
【請求項３】
前記孔部は、小径孔とこの小径孔に連なる大径孔とを備え、これら小径孔及び大径孔を前記支持板の下端を中心とした略同一半径上に設けたことを特徴とする請求項２に記載の空気調和装置の室外ユニット。
【発明の詳細な説明】
【技術分野】
【０００１】
本発明は、空気調和装置の室外ユニットに関する。
【背景技術】
【０００２】
一般に、筐体内を仕切り板で熱交換室と機械室とに区分けし、熱交換室に熱交換器及び送風機を収容し、機械室に圧縮機及び電装箱を収容した空気調和装置の室外ユニットが知られている。この種の室外ユニットでは、仕切り板の上部に略水平に電装箱を配置し、この電装箱の一端を熱交換室側に突出させ、熱交換室を通過する空気によって当該電装箱を冷却するものがある（例えば、特許文献1参照）。
【特許文献１】特開２００１−２０１１１０号公報
【発明の開示】
【発明が解決しようとする課題】
【０００３】
ところで、電装箱の一端を熱交換室側に突出させた場合、この突出した部分が送風抵抗となり、熱交換器での熱交換効率が低下することが考えられるため、電装箱は突出量を抑えて配置されることが望ましい。その一方で、熱交換室側への突出量を抑えて電装箱を配置すると、この電装箱の筐体への取り付けが困難となるといった問題がある。
本発明の目的は、上述の事情を考慮してなされたものであり、熱交換室側への突出量を抑えつつ、電装箱の筐体への取り付けを容易に行うことができる空気調和装置の室外ユニットを提供することにある。
【課題を解決するための手段】
【０００４】
上記課題を解決するため、本発明は、筐体内を仕切り板で熱交換室と機械室とに区分けし、熱交換室に熱交換器及び送風機を収容し、機械室に圧縮機及び電装箱を収容した空気調和装置の室外ユニットにおいて、前記電装箱は、前記仕切り板と略同一の幅で当該仕切り板上に延在し、前記機械室側に電装ユニットを支持する支持板を備え、この支持板を前記仕切り板の上端部に載置した状態で、当該支持板の一端部を前記熱交換器の管板に仮止め可能とするとともに、前記支持板は、この支持板の下端部から前記仕切り板の上端部における前記機械室側に延在する舌片部を備えることを特徴とする。
この構成によれば、仕切り板上に延在する支持板の機械室側に電装ユニットを支持したため、電装箱の熱交換室側への突出量を抑えることができる。また、この支持板を仕切り板の上端部に載置した状態で、当該支持板の一端部を熱交換器の管板に仮止めできるため、電装箱を筐体に簡単に取り付けることができる。
【０００５】
この構成において、前記支持板は、この支持板の一端部に、前記管板に設けられたねじ部に引掛け可能な孔部を備える構成としても良い。また、前記孔部は、小径孔とこの小径孔に連なる大径孔とを備え、これら小径孔及び大径孔を前記支持板の下端を中心とした略同一半径上に設けた構成としても良い。
【発明の効果】
【０００６】
本発明によれば、仕切り板上に延在する支持板の機械室側に電装ユニットを支持したため、電装箱の熱交換室側への突出量を抑えることができる。また、この支持板を仕切り板の上端部に載置した状態で、当該支持板の一端部を熱交換器の管板に仮止めできるため、電装箱を筐体に簡単に取り付けることができる。
【発明を実施するための最良の形態】
【０００７】
以下、図面を参照して本発明の実施形態を詳述する。
本実施形態に係る空気調和装置は、室外ユニット１０と室内ユニット（不図示）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【０００８】
図１は、室外ユニット１０を前面から見た図であり、図２は室外ユニット１０を上方から見た図である。この室外ユニット１０は、略直方体箱形状のユニットケース（筐体）１１を備え、ユニットケース１１は、底板１２、天板１３、前面パネル１４および外板１５を有し、ユニットケース１１内部が底板１２に立設された仕切り板１６によって縦に仕切られ、熱交換室Ｒ１と機械室Ｒ２とに分割されている。なお、図１の例では、前面パネル１４を取り外した状態を示しているが、前面パネル１４は、仕切り板１６を境に左右に二分割された第１前面パネル１４Ａと第２前面パネル１４Ｂとから構成され、各前面パネル１４Ａ、１４Ｂを取り外すことによって、作業者が前面側から熱交換室Ｒ１および機械室Ｒ２内の部品のメンテナンス作業が可能に構成されている。
【０００９】
熱交換室Ｒ１には、図２に示すように、その背面側に熱交換器２１が収容され、その前面側に上下方向に並べて配置された送風機２２Ａ、２２Ｂが収容される。熱交換器２１は、上面視略Ｌ字形状に屈曲されて形成され、熱交換室Ｒ１の左側面（外側面）から背面に沿わせて配置されている。このように、熱交換器２１は熱交換室Ｒ１（すなわちユニットケース１１）の左側面及び背面を形成し、この左側面から背面にかけての露出面全体が通風路（吸込口）として機能する。また、本構成では、熱交換器２１の表面は、この熱交換器２１への人体などの接触を防止するため、樹脂性のネットなどからなるフィンガード（不図示）で覆われている。
【００１０】
送風機２２Ａ、２２Ｂは、熱交換室Ｒ１内の配置された左右一対の支柱２４Ｌ、２４Ｒに取り付けられている。これら支柱２４Ｌ、２４Ｒは、当該支柱２４Ｌ、２４Ｒの上端部をそれぞれ熱交換器２１の上縁部に引掛けるとともに、当該支柱２４Ｌ、２４Ｒの下端部は底板１２にねじ止めにより固定されている。
送風機２２Ａは、支柱２４Ｌ、２４Ｒの上部に台座２５Ａを介して固定されたファンモータ２６Ａと、このファンモータ２６Ａの軸に取り付けられたプロペラファン（軸流ファン）２７Ａとから構成され、このプロペラファン２７Ａが熱交換室Ｒ１の前面側に近接配置される。また、このプロペラファン２７Ａの前部が、熱交換室Ｒ１の第１前面パネル１４Ａの上部に設けられた丸形フランジ形状のファン覆い部２８Ａ内に入り、このファン覆い部２８Ａの開口部が通風路（吹出口）として機能し、この開口部がプロペラファン２７への人体などの接触を防止するファンガード２９Ａで覆われる。また、送風機２２Ｂは、上記支柱２４Ｌ、２４Ｒの下部に配置されるものであり、上記送風機２２Ａと略同一の構成を有するものであるため、この送風機２２Ａを構成する機器と同種の符号を付してその説明を省略する。
ファンモータ２６Ａ、２６Ｂによりプロペラファン２７Ａ、２７Ｂが回転駆動されると、室外ユニット１０の周囲、より具体的には、熱交換器２１の背面側および左側面側から外気が熱交換室Ｒ１内に吸い込まれ、熱交換器２１の略前面を通過した後に、熱交換室Ｒ１前面のファン覆い部２８Ａ、２８Ｂを通って外に排出される。つまり、この室外ユニット１０は、前面から熱交換後の空気を吹き出す前面吹き出しタイプに構成されている。
【００１１】
また、図１に示すように、機械室Ｒ２には、冷媒回路の一部を構成する圧縮機３１、アキュムレータ３２および四方弁３３や膨張弁（不図示）といった弁体などの冷媒回路構成部品が配管接続され、当該機械室Ｒ２の略下方空間内に収容される。
本構成では、圧縮機３１とアキュムレータ３２とは、同程度の容量を有する圧縮容器を備え、上記機械室Ｒ２内に上下方向に並べて配置されている。具体的には、圧縮機３１は底板１２上に設置され、この圧縮機３１の上方でアキュムレータ３２は仕切り板１６に取り付けられている。これによって機械室Ｒ２内における圧縮機３１及びアキュムレータ３２の設置スペースを小さく抑えることができる。
また、機械室Ｒ２の前面側における略中間位置には支持片３６が配置され、この支持片３６には、ガス管用サービスバルブ３７と液管用サービスバルブ３８とが固定されている。これらガス管用サービスバルブ３７及び液管用サービスバルブ３８には、室内ユニットから延びるユニット配管のガス管及び液管（不図示）がそれぞれ接続され、これにより、冷媒を循環する冷媒回路が構成される。また、機械室Ｒ２の上方空間には、空気調和装置を制御する制御基板などの各種電装品を配設した電装ボックス（電装箱）４０が配置されている。この電装ボックス４０は、仕切り板１６の上部に延在する第１支持板（支持板）４１と、この第１支持板４１に取り付けられる第２支持板４２とを備えて構成され、これら第１支持板４１及び第２支持板４２に基板等の電装ユニットが配置されている。
【００１２】
仕切り板１６は、図３に示すように、熱交換室Ｒ１と機械室Ｒ２との間に配置されて当該熱交換室Ｒ１と機械室Ｒ２とを区分けする基板部１６Ａと、この基板部１６Ａの前面側の側縁部を機械室Ｒ２側に折り曲げて形成した前面部１６Ｂと、基板部１６Ａの背面側の側縁部を機械室Ｒ２側に斜めに折り曲げて形成した斜面部１６Ｃと、この斜面部１６Ｃの側縁部を上記前面部１６Ｂと略平行に折り曲げて形成した背面部１６Ｄと、基板部１６Ａの上縁部を機械室Ｒ２側に折り曲げて形成した上面部１６Ｅと、この上面部（上端部）１６Ｅと略平行に基板部１６Ａの下縁部を機械室Ｒ２側に折り曲げて形成した下面部１６Ｆとを備えてトレー形状に形成されている。
このように、仕切り板１６は、薄い板金を上記トレー形状に折り曲げて形成することにより、この仕切り板１６の剛性（強度）の向上を図っている。さらに、本構成では、仕切り板１６の剛性をより一層向上させるために、この仕切り板１６の一部に補強板５０が設けられており、この補強板５０を介して、仕切り板１６にアキュムレータ３２が取り付けられている。
【００１３】
また、仕切り板１６は、図３に示ように、この仕切り板１６の下面部１６Ｆと底板１２とをねじ止めすることにより、この底板１２に立設している。さらに、図示は省略したが、仕切り板１６の背面部１６Ｄを熱交換器２１にねじ止めして固定している。具体的には、熱交換器２１は、図２に示すように、この熱交換器２１の図中右側の端部に管板３５を備え、この管板３５には、ユニットケース１１内側の側縁部を略Ｌ字形状に折り曲げたリブ３５Ａが形成されている。本構成では、仕切り板１６の背面部１６Ｄを、補強板５０ともに管板３５のリブ３５Ａにねじ止めしている。これにより、補強板５０によって補強された仕切り板１６を管板３５に固定することができるので、この仕切り板１６をより強固にユニットケース１１内に支持させることができ、この仕切り板１６の振動が熱交換器２１やユニットケース１１の各パネルに伝達しにくくなり、この振動に伴う異音の発生を抑制することができる。
また、補強板５０を介して仕切り板１６にアキュムレータ３２が取り付けられているため、この補強板５０によって仕切り板１６の剛性が高まり、アキュムレータ３２の荷重によって仕切り板１６の変形を防止できるとともに、このアキュムレータ３２の振動に伴う当該仕切り板１６の振動を抑制することができる。
【００１４】
次に、電装ボックス４０について説明する。
電装ボックス４０は、図４に示すように、仕切り板１６の上部に延在する第１支持板４１を備え、この第１支持板４１の機械室Ｒ２側には、圧縮機３１を駆動する直流電源を生成するインバータ基板４３が配置される。このインバータ基板４３は、インバータ回路などの比較的発熱量が多い電装品を実装した基板であるため、当該インバータ基板４３の反対側、すなわち第１支持板４１の熱交換室Ｒ１側には当該インバータ基板４３で生じた熱を放出するためのヒートシンク４４が配置されている。このヒートシンク４４は、複数のフィンを構成する金属板を左右に間隔をあけて配列した構成を備える。
また、第１支持板４１の熱交換室Ｒ１側には、上記ヒートシンク４４を覆うカバー体４５が配置されている。このカバー体４５は、金属板を折り曲げて形成され、上部及び下部には、ヒートシンク４４のフィンと熱交換する冷却空気が通過する開口４５Ａが形成されている。
【００１５】
第１支持板４１は、仕切り板１６と略同一の幅を備え、この仕切り板１６の上部に配置されることにより、当該仕切り板１６と協働して熱交換室Ｒ１と機械室Ｒ２とを区分けする機能を有する。本構成では、第１支持板４１の高さは、仕切り板１６の上に載せた際に、熱交換器２１と略同じ高さになるように設定されている。
この第１支持板４１は、上記インバータ基板４３及びヒートシンク４４が配置される基板部４１Ａと、この基板部４１Ａの前面側の側縁部を機械室Ｒ２側に折り曲げて形成した前面部４１Ｂと、基板部４１Ａの背面側の側縁部を上記前面部４１Ｂと略平行に折り曲げて形成した背面部（一端部）４１Ｃと、基板部１６Ａの上縁部を機械室Ｒ２側に折り曲げて形成した上面部４１Ｄと、この上面部４１Ｄと略平行に基板部４１Ａの下縁部を機械室Ｒ２側に折り曲げて形成した下面部４１Ｅとを備えてトレー形状に形成されている。また、本構成では、第１支持板４１には、この第１支持板４１の下面部４１Ｅの縁部を下方に折り曲げて舌片部４１Ｆが形成されている。
【００１６】
この舌片部４１Ｆは、図４に示すように、第１支持板４１を仕切り板１６の上に載せると、この仕切り板１６の上端部の機械室Ｒ２側に延在する。この舌片部４１Ｆは、第１支持板４１を仕切り板１６の上に載せる際に位置決めガイドとして機能するとともに、第１支持板４１と仕切り板１６との隙間を覆うカバーとして機能する。このため、熱交換室Ｒ１から仕切り板１６と第１支持板４１との隙間を通じて機械室Ｒ２内に雨水が浸入したとしても、この雨水は舌片部４１Ｆに当たって機械室Ｒ２の下方に流下するため、当該雨水が電装ボックス４０内に浸入することはない。
【００１７】
また、電装ボックス４０は、第１支持板４１に固定されて機械室Ｒ２の幅方向に延材する第２支持板４２を備える。この第２支持板４２は、機械室Ｒ２の幅方向に延びる板部４２Ａと、この板部４２Ａの下縁部を前方に折り曲げて形成した底板部４２Ｂとを備え、当該板部４２Ａの前面側にフィルタ基板４６が配置され、この板部４２Ａの背面側にリアクタ４７が配置されている。
また、板部４２Ａの前面側には、フィルタ基板４６を覆うように上面視で略コ字形状に折り曲げられたカバー体４８が配置される。このカバー体４８は、板部４２Ａにねじ等で固定されており、このねじを外すことにより簡単にカバー体４８を板部４２Ａから取り外すことができる。カバー体４８の前面には、室外ユニット１０内に配置された各種機器の運転を制御する制御基板４９が配置される。この制御基板４９は、機械室Ｒ２の前面側に配置されるため、例えば、第２前面パネル１４Ｂ（図２参照）を取り外して容易にメンテナンスができるようになっている。
また、第２支持板４２の底板部４２Ｂには、金属板を折り曲げて形成した取付板５１が固定され、この取付板５１の前面側には、室外ユニット１０に電源を供給したり、室内ユニット等と通信を行うための端子台５２が設けられている。
【００１８】
このように、電装ボックス４０は、第１支持板４１及び第２支持板４２を備え、これら第１支持板４１及び第２支持板４２に、電装ユニットとして上記インバータ基板４３、ヒートシンク４４、フィルタ基板４６、リアクタ４７、制御基板４９及び不図示のパワーリレー、キャパシタなどが配置されるため、電装ボックス４０の重量は比較的重くなり（例えば約１１ｋｇ）、この電装ボックス４０の取付作業が困難となっていた。
【００１９】
このため、本構成では、電装ボックス４０の第１支持板４１を仕切り板１６の上面部に載置した状態で、当該第１支持板４１の背面部４１Ｃを熱交換器２１の管板３５に仮止め可能に構成されている。具体的には、図５に示すように、第１支持板４１の背面部４１Ｃには、管板３５のリブ３５Ａに取り付けられたねじ６２に引掛けることができるダルマ孔（孔部）６１が形成されている。
このダルマ孔６１は、小径の孔６１Ａと、大径の孔６１Ｂとが繋がって形成されたものであり、小径の孔６１Ａは、ねじ６２のねじ径よりも大きく、このねじ６２の頭部の径よりも小さい径に形成されている。また、大径の孔６１Ｂは、上記ねじ６２の頭部よりも大きく、この頭部が貫通できる径に形成されている。
また、本構成では、ダルマ孔６１は、大径の孔６１Ｂが小径の孔６１Ａよりも機械室Ｒ２側の下方に位置するように斜めに形成されている。さらに具体的には、ダルマ孔６１は、第１支持板４１の下面部４１Ｅにおける熱交換室Ｒ１側の角部４１Ｅ１を中心とした略同一半径上に形成されている。
このように、ダルマ孔６１は、大径の孔６１Ｂが小径の孔６１Ａよりも機械室Ｒ２側の下方に位置するように斜めに形成されているため、電装ボックス４０を取り付けた場合、大径の孔６１Ｂは、図４に示すように、管板３５のリブ３５Ａよりも熱交換室Ｒ１側に延在することはない。これにより、大径の孔６１Ｂは、上記リブ３５Ａにより塞がれるため、この大径の孔６１Ｂを通じて、熱交換室Ｒ１と機械室Ｒ２とが連通することが防止され、当該大径の孔６１Ｂから雨水等が電装ボックス４０内に浸入することが防止される。
【００２０】
次に、電装ボックス４０の取付手順について説明する。
まず、第１支持板４１及び第２支持板４２を組み合わせ、これら第１支持板４１、第２支持板４２に電装ユニットを配置して電装ボックス４０を形成する。
続いて、図５に示すように、第１支持板４１の下面部４１Ｅを仕切り板１６の上面部１６Ｅの上に載せ、上記舌片部４１Ｆをガイドとして、第１支持板４１の背面部４１Ｃが熱交換器２１の管板３５のリブ３５Ａに当接するまで押し込む。この場合、電装ボックス４０は、舌片部４１Ｆをガイドとして仕切り板１６の上面部１６Ｅ上を滑らすことで、小さな力で電装ボックス４０を所定の位置まで押し込むことができる。
続いて、図４に示すように、電装ボックス４０の上部（例えば、第１支持板４１の上面部４１Ｄ）を機械室Ｒ１側に傾け、第１支持板４１の背面部４１Ｃに形成されたダルマ孔６１の大径の孔６１Ｂを管板３５のリブ３５Ａに予め軽くねじ込まれたねじ６２の頭部に挿入する。このダルマ孔６１は、上述のように、第１支持板４１の下面部４１Ｅにおける熱交換室Ｒ１側の角部４１Ｅ１を中心とした略同一半径上に形成されているため、この角部４１Ｅ１を中心として時計回り方向（図中Ｘ方向）に第１支持板４１（電装ボックス４０）を回転させると、ねじ６２が小径の孔６１Ａ内に移動して、この小径の孔６１Ａにねじの頭部が引っ掛かる。
このため、電装ボックス４０を簡単にユニットケース１１、具体的には、仕切り板１６及び熱交換器２１の管板３５に仮固定することができる。そして、上記ねじ６２を締めこむとともに、第２支持板４２及び取付板５１の縁部に形成されたねじ孔６４を通じて、電装ボックス４０を外板１５（図２）の前面側の端部に固定する。
このように、電装ボックス４０の第１支持板４１の背面部４１Ｃには、この第１支持板４１を仕切り板１６の上面部に載置した状態で熱交換器２１の管板３５に設けたねじ６２に引掛け可能なダルマ孔６１が形成されているため、電装ボックス４０を仕切り板１６及び熱交換器２１の管板３５に仮固定できるので、作業者が一人でも容易に電装ボックス４０をユニットケース１１内に取り付けることができる。
【００２１】
本実施形態によれば、ユニットケース１１内を仕切り板１６で熱交換室Ｒ１と機械室Ｒ２とに区分けし、熱交換室Ｒ１に熱交換器２１及び送風機２２Ａ、２２Ｂを収容し、機械室Ｒ２に圧縮機３１及び電装ボックス４０を収容し、この電装ボックス４０は、仕切り板１６と略同一の幅で当該仕切り板１６上に延在し、機械室Ｒ２側にインバータ基板４３を支持する第１支持板４１を備えたため、この第１支持板４１の熱交換室Ｒ１側には、上記インバータ基板４３を冷却するヒートシンク４４のみが突出し、電装ボックス４０の熱交換室Ｒ１側への突出量を抑えることができる。このため、電装ボックス４０が熱交換室Ｒ１内に突出することにより生じる送風抵抗が抑制され、熱交換器２１での熱交換効率の向上を図ることができる。
特に、本実施形態のように、送風機２２Ａ、２２Ｂを上下に並べて配置する構成では、電装ボックス４０の突出量を抑えることで、これら送風機２２Ａ、２２Ｂから送風された空気の流れ分布が最適となるように、当該送風機２２Ａ、２２Ｂを熱交換室Ｒ１内に配置することができるため、熱交換器２１での熱交換効率の更なる向上を図ることができる。
また、第１支持板４１を仕切り板１６の上面部１６Ｅに載置した状態で、当該第１支持板４１の背面部４１Ｃを熱交換器２１の管板３５のリブ３５Ａに仮止め可能としたため、電装ボックス４０をユニットケース１１内に簡単に取り付けることができる。
【００２２】
また、本実施形態によれば、第１支持板４１は、この第１支持板４１の背面部４１Ｃに、管板３５のリブ３５Ａに取り付けられたねじ６２が引掛け可能なダルマ孔６１を備えるため、電装ボックス４０を仕切り板１６及び熱交換器２１の管板３５に仮固定できるので、作業者が一人でも容易に電装ボックス４０をユニットケース１１内に取り付けることができる。
【００２３】
さらに、本実施形態によれば、ダルマ孔６１は、小径の孔６１Ａと大径の孔６１Ｂとを備え、これら小径の孔６１Ａ及び大径の孔６１Ｂを第１支持板４１の下面部４１Ｅにおける熱交換室Ｒ１側の角部４１Ｅ１を中心とした略同一半径上に形成されているため、この角部４１Ｅ１を中心として時計回り方向（図中Ｘ方向）に第１支持板４１（電装ボックス４０）を回転させることにより、簡単にねじ６２をダルマ孔６１に引掛けることができる。
【００２４】
また、本実施形態によれば、第１支持板４１は、この第１支持板４１の下面部４１Ｅから仕切り板１６の上面部１６Ｅの機械室Ｒ２側に延在する舌片部４１Ｆを備えるため、電装ボックス４０を取り付ける際に、この電装ボックス４０を、舌片部４１Ｆをガイドとして仕切り板１６の上面部１６Ｅ上を滑らすことにより、小さな力で当該電装ボックス４０を所定の位置まで押し込むことができる。
さらに、第１支持板４１と仕切り板１６との隙間を覆うカバーとして機能するため、熱交換室Ｒ１から仕切り板１６と第１支持板４１との隙間を通じて機械室Ｒ２内に雨水が浸入したとしても、この雨水は舌片部４１Ｆに当たって機械室Ｒ２の下方に流下するため、当該雨水が電装ボックス４０内に浸入することが防止される。
【００２５】
以上、一実施形態に基づいて、本発明を説明したが、本発明はこれに限定されるものではない。例えば、本実施形態では、上下に配置された２台の送風機２２Ａ，２２Ｂを備える構成について説明したが、１台の送風機を備える構成であっても良いことは勿論である。
【図面の簡単な説明】
【００２６】
【図１】本発明の一実施形態に係る室外ユニットの内部構成の正面図である。
【図２】室外ユニットの内部構成の上面図である。
【図３】仕切り板状に配置される電装ボックスを示す斜視図である。
【図４】電装ボックスの構成を示す斜視図である
【図５】電装ボックスの取付手順を説明するための図である。
【符号の説明】
【００２７】
１０  室外ユニット
１１  ユニットケース
１２  底板
１３  天板
１４  前面パネル
１４Ａ  前面パネル
１５  外板
１６  仕切り板
２１  熱交換器
２２Ａ、２２Ｂ  送風機
３１  圧縮機
３２  アキュムレータ
３３  四方弁
３５  管板
３５Ａ  リブ
４０  電装ボックス（電装箱）
４１  第１支持板（支持板）
４１Ａ  基板部
４１Ｂ  前面部
４１Ｃ  背面部
４１Ｄ  上面部
４１Ｅ  下面部
４１Ｅ１  角部
４１Ｆ  舌片部
４２  第２支持板
４３  インバータ基板
４４  ヒートシンク
４５  カバー体
４５Ａ  開口
４６  フィルタ基板
４７  リアクタ
４８  カバー体
４９  制御基板
５０  補強板
５１  取付板
６１  ダルマ孔（孔部）
６１Ａ  小径の孔（小径孔）
６１Ｂ  大径の孔（大径孔）
Ｒ１  熱交換室
Ｒ２  機械室
【図１】
0005028204.tif 000002
【図２】
0005028204.tif 000003
【図３】
0005028204.tif 000004
【図４】
0005028204.tif 000005
【図５】
0005028204.tif 000006